(57)【要約】【課題】本発明はキッチン排気ガスの低コスト排気処理システムを開示した。    【解決手段】体入り管を含み、前記気体入り管が煙突に連通しており、前記気体入り管の上側には円柱型箱が連結され、前記円柱型箱の中には前記気体入り管に連通している回転チャンバが設置され、前記回転チャンバの後壁には回転モータが固定的に設置され、本発明は小部分が濾過され、大部分が置かれて沈積するという方法を採用し、本発明の中の埃が一定の量になった後、自動的に埃を収集し、後続の統一処理に便利を与え、従来の排気ガスの浄化設備と比べ、本発明の中の濾過綿をよく取り替える必要がなく、使用コストを大幅に下げ、農村地域に普及することに便利を与える。【選択図】図１
2020204451.tif 000002
【特許請求の範囲】
【請求項１】
正面視で、気体入り管を含み、前記気体入り管が煙突に連通しており、前記気体入り管の上側には円柱型箱が連結され、前記円柱型箱の中には前記気体入り管に連通している回転チャンバが設置され、前記回転チャンバの後壁には回転モータが固定的に設置され、前記回転モータの前側にはモータ軸が動力が伝達できるように連結され、前記モータ軸の外面には五つの連結ロッドが固定的に設置され、前記連結ロッドの一端には輸送箱が固定的に設置され、二つずつの前記輸送箱の間には中間板が連結され、前記輸送箱の中には片側へ開口した輸送チャンバが設置され、前記円柱型箱の上側には前記回転チャンバに連通している連結管が固定的に設置され、
前記連結管の右端には処理箱が固定的に設置され、前記処理箱の中には除塵機構が設置され、前記除塵機構は前記処理箱の中に設置された沈積チャンバを含み、前記処理箱の上側には前記沈積チャンバに連通している排気管が固定的に設置され、前記排気管の中には濾過綿が設置され、前記濾過綿の作用のもとで、煙を排出する速度が比較的に低く、煙の中の埃の大部分が前記沈積チャンバの中に沈積し、煙を排出する速度が比較的に低いため、前記気体入り管が直接前記沈積チャンバに連通することができなく、前記沈積チャンバの中の圧力が大きいため、前記気体入り管の中の気体が正常に前記沈積チャンバの中に入ることができないことを避け、
前記処理箱の中には取り除き機構が設置され、前記取り除き機構は密封板と、右推し板と、上推し板と、連通チャンバとを含み、前記右推し板が前記沈積チャンバの中にスライドできるように設置され、前記連通チャンバが前記沈積チャンバに連通しており、且つ下方へ開口しており、前記連通チャンバの中にはバルブ機構が設置され、前記沈積チャンバの中の埃が指定量に達した時、前記密封板が前記連結管を密封し、前記右推し板が左方へ運動して前記沈積チャンバの内壁にある埃を取り除き、前記バルブ機構がオンにされ、前記上推し板が下降して埃を前記沈積チャンバまで推して収集を行うことを特徴とするキッチン排気ガスの低コスト排気処理システム。
【請求項２】
前記処理箱の中には前記沈積チャンバの後側に位置している空きチャンバが設置され、前記空きチャンバの後壁には主モータが固定的に設置され、前記主モータの前側には主動リードスクリューが動力が伝達できるように連結され、前記主動リードスクリューには移動板がネジ山により連結され、前記密封板が前記移動板の左端に固定的に連結され、前記密封板が前記沈積チャンバの内壁とスライドできるように連結されたことを特徴とする請求項１に記載のキッチン排気ガスの低コスト排気処理システム。
【請求項３】
前記処理箱の中には前記沈積チャンバの右側に位置しているギヤチャンバが設置され、前記ギヤチャンバの左右内壁の間にはネジ山スリーブが回転できるように設置され、前記ネジ山スリーブの中には左端が前記沈積チャンバの中に伸びているネジ山ロッドがネジ山により連結され、前記右推し板が前記ネジ山ロッドの左端に固定的に設置され、前記ネジ山スリーブには前ギヤが固定的に設置され、前記ギヤチャンバの右壁にはガイド溝が設置され、前記ガイド溝の中にはガイドブロックがスライドできるように設置され、前記ガイドブロックと前記ガイド溝の前壁との間には圧縮ばねが連結され、前記ガイドブロックの左端面には回転軸が回転できるように設置され、前記回転軸には後ギヤが固定的に設置され、前記回転軸にはラチェットギヤが固定的に設置され、前記回転軸と前記ガイドブロックとの間には捻りばねが連結され、前記ギヤチャンバの内壁には前記ラチェットギヤと噛み合っているラチェット歯止めが装着され、前記ギヤチャンバと前記空きチャンバとの間には貫通孔が設置され、前記移動板の右端には両面ラックが固定的に設置され、前記両面ラックの右端面には定位ブロックが固定的に設置され、前記両面ラックの前端が前記貫通孔を通して前記ギヤチャンバの中に伸びていることを特徴とする請求項２に記載のキッチン排気ガスの低コスト排気処理システム。
【請求項４】
前記バルブ機構は前記連通チャンバの内壁の中に左右対称的に設置された収納チャンバを含み、前記収納チャンバの後壁には装着軸が回転できるように設置され、前記装着軸にはドア板が固定的に設置され、前記処理箱の中には伝動チャンバが設置され、前記装着軸の後端が前記伝動チャンバの中に伸びており、前記伝動チャンバの中には前記装着軸と固定的に連結された同期ギヤが設置され、左側の前記装着軸の後端には回転ギヤが固定的に設置され、前記伝動チャンバの底壁にはスライド溝が設置され、前記スライド溝の中にはスライダがスライドできるように設置され、前記スライダの上端には伝動ロッドにより固定板が固定的に連結され、前記固定板の上端面には右ラックと左ラックとが固定的に設置され、前記右ラックが前記左ラックの右側に位置しており、前記左ラックが前記回転ギヤと噛み合っており、前記伝動チャンバの後壁にはギヤ軸が回転できるように設置され、前記ギヤ軸にはセクタギヤが固定的に設置され、前記ギヤチャンバの左壁には伝動軸が回転できるように設置され、前記伝動軸と前記ギヤ軸との間がプーリ機構により連結され、前記伝動軸の右端には前記両面ラックと噛み合うことができる伝動ギヤが固定的に設置されたことを特徴とする請求項３に記載のキッチン排気ガスの低コスト排気処理システム。
【請求項５】
前記処理箱の中には前記沈積チャンバの上側に位置しており、且つ前記沈積チャンバに連通している推しロッドチャンバが設置され、前記推しロッドチャンバの頂壁には電動推しロッドが固定的に設置され、前記電動推しロッドの下側の推しロッドの下端には前記上推し板が固定的に連結されたことを特徴とする請求項１に記載のキッチン排気ガスの低コスト排気処理システム。
【請求項６】
前記処理箱の下端面の中には収集箱がネジ山により連結され、前記収集箱の中には上方へ開口した収集チャンバが設置され、前記収集チャンバが前記連通チャンバに連通していることを特徴とする請求項１に記載のキッチン排気ガスの低コスト排気処理システム。
【請求項７】
前記処理箱の中には回転盤チャンバが設置され、前記回転盤チャンバの頂壁には動力モータが固定的に設置され、前記動力モータの下側には動力軸が動力が伝達できるように連結され、前記動力軸の下端には回転盤が固定的に設置され、前記回転盤の中には上下に貫通している六つの装着チャンバが設置され、前記回転盤の片側が前記排気管の中に伸びており、前記装着チャンバの中には前記濾過綿が装着されたことを特徴とする請求項１に記載のキッチン排気ガスの低コスト排気処理システム。
【請求項８】
前記気体入り管と前記連結管の中には気体抽出ファンが設置されたことを特徴とする請求項１に記載のキッチン排気ガスの低コスト排気処理システム。
【請求項９】
前記排気管には雨除けカバーが固定的に設置されたことを特徴とする請求項１に記載のキッチン排気ガスの低コスト排気処理システム。
【発明の詳細な説明】
【技術分野】
【０００１】
本発明は排気ガス処理技術分野を取り上げて、具体的にはキッチン排気ガスの低コスト排気処理システムである。
【背景技術】
【０００２】
我が国にはかまどを使用してご飯を炊く農村地域が比較的に多い、かまどを使用する時に燃えるものが一般的に藁あるいは木材などであり、完全に燃えにくいため、比較的に多い煙が生じ、もし排気ガスを処理しないと、環境に一定の影響をもたらし、市販されている処理設備が一般的にコストが高く、農村の中で広範囲の普及を実現しにくく、上記の欠点について、本発明が改善を行った。
【先行技術文献】
【特許文献】
【０００３】
【特許文献１】中国特許出願公開第１０８０１４６０５号明細書
【発明の概要】
【発明が解決しようとする課題】
【０００４】
本発明はキッチン排気ガスの低コスト排気処理システムを提供し、上記欠点を解消することを目的とする。
【課題を解決するための手段】
【０００５】
本発明は以下の技術プランによって実現される：
【０００６】
本発明のキッチン排気ガスの低コスト排気処理システムは、気体入り管を含み、前記気体入り管が煙突に連通しており、前記気体入り管の上側には円柱型箱が連結され、前記円柱型箱の中には前記気体入り管に連通している回転チャンバが設置され、前記回転チャンバの後壁には回転モータが固定的に設置され、前記回転モータの前側にはモータ軸が動力が伝達できるように連結され、前記モータ軸の外面には五つの連結ロッドが固定的に設置され、前記連結ロッドの一端には輸送箱が固定的に設置され、二つずつの前記輸送箱の間には中間板が連結され、前記輸送箱の中には片側へ開口した輸送チャンバが設置され、前記円柱型箱の上側には前記回転チャンバに連通している連結管が固定的に設置され、
前記連結管の右端には処理箱が固定的に設置され、前記処理箱の中には除塵機構が設置され、前記除塵機構は前記処理箱の中に設置された沈積チャンバを含み、前記処理箱の上側には前記沈積チャンバに連通している排気管が固定的に設置され、前記排気管の中には濾過綿が設置され、前記濾過綿の作用のもとで、煙を排出する速度が比較的に低く、煙の中の埃の大部分が前記沈積チャンバの中に沈積し、煙を排出する速度が比較的に低いため、前記気体入り管が直接前記沈積チャンバに連通することができなく、前記沈積チャンバの中の圧力が大きいため、前記気体入り管の中の気体が正常に前記沈積チャンバの中に入ることができないことを避け、
前記処理箱の中には取り除き機構が設置され、前記取り除き機構は密封板と、右推し板と、上推し板と、連通チャンバとを含み、前記右推し板が前記沈積チャンバの中にスライドできるように設置され、前記連通チャンバが前記沈積チャンバに連通しており、且つ下方へ開口しており、前記連通チャンバの中にはバルブ機構が設置され、前記沈積チャンバの中の埃が指定量に達した時、前記密封板が前記連結管を密封し、前記右推し板が左方へ運動して前記沈積チャンバの内壁にある埃を取り除き、前記バルブ機構がオンにされ、前記上推し板が下降して埃を前記沈積チャンバまで推して収集を行う。
【０００７】
好ましくは、前記処理箱の中には前記沈積チャンバの後側に位置している空きチャンバが設置され、前記空きチャンバの後壁には主モータが固定的に設置され、前記主モータの前側には主動リードスクリューが動力が伝達できるように連結され、前記主動リードスクリューには移動板がネジ山により連結され、前記密封板が前記移動板の左端に固定的に連結され、前記密封板が前記沈積チャンバの内壁とスライドできるように連結された。
【０００８】
好ましくは、前記処理箱の中には前記沈積チャンバの右側に位置しているギヤチャンバが設置され、前記ギヤチャンバの左右内壁の間にはネジ山スリーブが回転できるように設置され、前記ネジ山スリーブの中には左端が前記沈積チャンバの中に伸びているネジ山ロッドがネジ山により連結され、前記右推し板が前記ネジ山ロッドの左端に固定的に設置され、前記ネジ山スリーブには前ギヤが固定的に設置され、前記ギヤチャンバの右壁にはガイド溝が設置され、前記ガイド溝の中にはガイドブロックがスライドできるように設置され、前記ガイドブロックと前記ガイド溝の前壁との間には圧縮ばねが連結され、前記ガイドブロックの左端面には回転軸が回転できるように設置され、前記回転軸には後ギヤが固定的に設置され、前記回転軸にはラチェットギヤが固定的に設置され、前記回転軸と前記ガイドブロックとの間には捻りばねが連結され、前記ギヤチャンバの内壁には前記ラチェットギヤと噛み合っているラチェット歯止めが装着され、前記ギヤチャンバと前記空きチャンバとの間には貫通孔が設置され、前記移動板の右端には両面ラックが固定的に設置され、前記両面ラックの右端面には定位ブロックが固定的に設置され、前記両面ラックの前端が前記貫通孔を通して前記ギヤチャンバの中に伸びている。
【０００９】
好ましくは、前記バルブ機構は前記連通チャンバの内壁の中に左右対称的に設置された収納チャンバを含み、前記収納チャンバの後壁には装着軸が回転できるように設置され、前記装着軸にはドア板が固定的に設置され、前記処理箱の中には伝動チャンバが設置され、前記装着軸の後端が前記伝動チャンバの中に伸びており、前記伝動チャンバの中には前記装着軸と固定的に連結された同期ギヤが設置され、左側の前記装着軸の後端には回転ギヤが固定的に設置され、前記伝動チャンバの底壁にはスライド溝が設置され、前記スライド溝の中にはスライダがスライドできるように設置され、前記スライダの上端には伝動ロッドにより固定板が固定的に連結され、前記固定板の上端面には右ラックと左ラックとが固定的に設置され、前記右ラックが前記左ラックの右側に位置しており、前記左ラックが前記回転ギヤと噛み合っており、前記伝動チャンバの後壁にはギヤ軸が回転できるように設置され、前記ギヤ軸にはセクタギヤが固定的に設置され、前記ギヤチャンバの左壁には伝動軸が回転できるように設置され、前記伝動軸と前記ギヤ軸との間がプーリ機構により連結され、前記伝動軸の右端には前記両面ラックと噛み合うことができる伝動ギヤが固定的に設置された。
【００１０】
好ましくは、前記処理箱の中には前記沈積チャンバの上側に位置しており、且つ前記沈積チャンバに連通している推しロッドチャンバが設置され、前記推しロッドチャンバの頂壁には電動推しロッドが固定的に設置され、前記電動推しロッドの下側の推しロッドの下端には前記上推し板が固定的に連結された。
【００１１】
好ましくは、前記処理箱の下端面の中には収集箱がネジ山により連結され、前記収集箱の中には上方へ開口した収集チャンバが設置され、前記収集チャンバが前記連通チャンバに連通している。
【００１２】
好ましくは、前記処理箱の中には回転盤チャンバが設置され、前記回転盤チャンバの頂壁には動力モータが固定的に設置され、前記動力モータの下側には動力軸が動力が伝達できるように連結され、前記動力軸の下端には回転盤が固定的に設置され、前記回転盤の中には上下に貫通している六つの装着チャンバが設置され、前記回転盤の片側が前記排気管の中に伸びており、前記装着チャンバの中には前記濾過綿が装着された。
【００１３】
好ましくは、前記気体入り管と前記連結管の中には気体抽出ファンが設置された。
【００１４】
好ましくは、前記排気管には雨除けカバーが固定的に設置された。
【発明の効果】
【００１５】
本発明の有益効果は：この種類の排気ガスの中に比較的に多い埃が含まれているため、もし全部が濾過の方法で除塵を行うと処理コストが比較的に高く、本発明は小部分が濾過され、大部分が置かれて沈積するという方法を採用し、本発明の中の埃が一定の量になった後、自動的に埃を収集し、後続の統一処理に便利を与え、従来の排気ガスの浄化設備と比べ、本発明の中の濾過綿をよく取り替える必要がなく、使用コストを大幅に下げ、農村地域に普及することに便利を与える。
【図面の簡単な説明】
【００１６】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の全体構成模式図
【図２】図２は図１の中のＡ―Ａのところの構成模式図
【図３】図３は図１の中のＢ―Ｂのところの構成模式図
【図４】図４は図１の中のＣ―Ｃのところの構成模式図
【発明を実施するための形態】
【００１８】
図１〜４を参照し、本発明のキッチン排気ガスの低コスト排気処理システムは、気体入り管１０を含み、前記気体入り管１０が煙突に連通しており、前記気体入り管１０の上側には円柱型箱１５が連結され、前記円柱型箱１５の中には前記気体入り管１０に連通している回転チャンバ７５が設置され、前記回転チャンバ７５の後壁には回転モータ１６が固定的に設置され、前記回転モータ１６の前側にはモータ軸５９が動力が伝達できるように連結され、前記モータ軸５９の外面には五つの連結ロッド１７が固定的に設置され、前記連結ロッド１７の一端には輸送箱１３が固定的に設置され、二つずつの前記輸送箱１３の間には中間板７６が連結され、前記輸送箱１３の中には片側へ開口した輸送チャンバ１４が設置され、前記円柱型箱１５の上側には前記回転チャンバ７５に連通している連結管１８が固定的に設置された。  
【００１９】
前記連結管１８の右端には処理箱５０が固定的に設置され、前記処理箱５０の中には除塵機構９２が設置され、前記除塵機構９２は前記処理箱５０の中に設置された沈積チャンバ６０を含み、前記処理箱５０の上側には前記沈積チャンバ６０に連通している排気管２６が固定的に設置され、前記排気管２６の中には濾過綿２５が設置され、前記濾過綿２５の作用のもとで、煙を排出する速度が比較的に低く、煙の中の埃の大部分が前記沈積チャンバ６０の中に沈積し、煙を排出する速度が比較的に低いため、前記気体入り管１０が直接前記沈積チャンバ６０に連通することができなく、前記沈積チャンバ６０の中の圧力が大きいため、前記気体入り管１０の中の気体が正常に前記沈積チャンバ６０の中に入ることができないことを避ける。  
【００２０】
前記処理箱５０の中には取り除き機構９１が設置され、前記取り除き機構９１は密封板３１と、右推し板３９と、上推し板３０と、連通チャンバ５７とを含み、前記右推し板３９が前記沈積チャンバ６０の中にスライドできるように設置され、前記連通チャンバ５７が前記沈積チャンバ６０に連通しており、且つ下方へ開口しており、前記連通チャンバ５７の中にはバルブ機構９０が設置され、前記沈積チャンバ６０の中の埃が指定量に達した時、前記密封板３１が前記連結管１８を密封し、前記右推し板３９が左方へ運動して前記沈積チャンバ６０の内壁にある埃を取り除き、前記バルブ機構９０がオンにされ、前記上推し板３０が下降して埃を前記沈積チャンバ６０まで推して収集を行う。
【００２１】
前記処理箱５０の中には前記沈積チャンバ６０の後側に位置している空きチャンバ６２が設置され、前記空きチャンバ６２の後壁には主モータ６４が固定的に設置され、前記主モータ６４の前側には主動リードスクリュー６５が動力が伝達できるように連結され、前記主動リードスクリュー６５には移動板６３がネジ山により連結され、前記密封板３１が前記移動板６３の左端に固定的に連結され、前記密封板３１が前記沈積チャンバ６０の内壁とスライドできるように連結された。
【００２２】
前記処理箱５０の中には前記沈積チャンバ６０の右側に位置しているギヤチャンバ６１が設置され、前記ギヤチャンバ６１の左右内壁の間にはネジ山スリーブ４３が回転できるように設置され、前記ネジ山スリーブ４３の中には左端が前記沈積チャンバ６０の中に伸びているネジ山ロッド４２がネジ山により連結され、前記右推し板３９が前記ネジ山ロッド４２の左端に固定的に設置され、前記ネジ山スリーブ４３には前ギヤ４５が固定的に設置され、前記ギヤチャンバ６１の右壁にはガイド溝７０が設置され、前記ガイド溝７０の中にはガイドブロック６９がスライドできるように設置され、前記ガイドブロック６９と前記ガイド溝７０の前壁との間には圧縮ばね７７が連結され、前記ガイドブロック６９の左端面には回転軸７２が回転できるように設置され、前記回転軸７２には後ギヤ４４が固定的に設置され、前記回転軸７２にはラチェットギヤ７１が固定的に設置され、前記回転軸７２と前記ガイドブロック６９との間には捻りばね６８が連結され、前記ギヤチャンバ６１の内壁には前記ラチェットギヤ７１と噛み合っているラチェット歯止め６７が装着され、前記ギヤチャンバ６１と前記空きチャンバ６２との間には貫通孔４６が設置され、前記移動板６３の右端には両面ラック３８が固定的に設置され、前記両面ラック３８の右端面には定位ブロック６６が固定的に設置され、前記両面ラック３８の前端が前記貫通孔４６を通して前記ギヤチャンバ６１の中に伸びている。
【００２３】
前記バルブ機構９０は前記連通チャンバ５７の内壁の中に左右対称的に設置された収納チャンバ３２を含み、前記収納チャンバ３２の後壁には装着軸３４が回転できるように設置され、前記装着軸３４にはドア板３３が固定的に設置され、前記処理箱５０の中には伝動チャンバ４９が設置され、前記装着軸３４の後端が前記伝動チャンバ４９の中に伸びており、前記伝動チャンバ４９の中には前記装着軸３４と固定的に連結された同期ギヤ７４が設置され、左側の前記装着軸３４の後端には回転ギヤ７３が固定的に設置され、前記伝動チャンバ４９の底壁にはスライド溝５４が設置され、前記スライド溝５４の中にはスライダ５３がスライドできるように設置され、前記スライダ５３の上端には伝動ロッド５２により固定板５１が固定的に連結され、前記固定板５１の上端面には右ラック４８と左ラック３５とが固定的に設置され、前記右ラック４８が前記左ラック３５の右側に位置しており、前記左ラック３５が前記回転ギヤ７３と噛み合っており、前記伝動チャンバ４９の後壁にはギヤ軸３７が回転できるように設置され、前記ギヤ軸３７にはセクタギヤ３６が固定的に設置され、前記ギヤチャンバ６１の左壁には伝動軸４０が回転できるように設置され、前記伝動軸４０と前記ギヤ軸３７との間がプーリ機構４１により連結され、前記伝動軸４０の右端には前記両面ラック３８と噛み合うことができる伝動ギヤ４７が固定的に設置された。
【００２４】
前記処理箱５０の中には前記沈積チャンバ６０の上側に位置しており、且つ前記沈積チャンバ６０に連通している推しロッドチャンバ２２が設置され、前記推しロッドチャンバ２２の頂壁には電動推しロッド２３が固定的に設置され、前記電動推しロッド２３の下側の推しロッド２１の下端には前記上推し板３０が固定的に連結された。
【００２５】
前記処理箱５０の下端面の中には収集箱５５がネジ山により連結され、前記収集箱５５の中には上方へ開口した収集チャンバ５６が設置され、前記収集チャンバ５６が前記連通チャンバ５７に連通している。
【００２６】
前記処理箱５０の中には回転盤チャンバ７８が設置され、前記回転盤チャンバ７８の頂壁には動力モータ２７が固定的に設置され、前記動力モータ２７の下側には動力軸２８が動力が伝達できるように連結され、前記動力軸２８の下端には回転盤２９が固定的に設置され、前記回転盤２９の中には上下に貫通している六つの装着チャンバ７９が設置され、前記回転盤２９の片側が前記排気管２６の中に伸びており、前記装着チャンバ７９の中には前記濾過綿２５が装着された。
【００２７】
前記気体入り管１０と前記連結管１８の中には気体抽出ファン１１が設置された。
【００２８】
前記排気管２６には雨除けカバー２４が固定的に設置された。
【００２９】
装置全体の機械作動の順序は：
【００３０】
１：回転モータ１６が起動してモータ軸５９と、連結ロッド１７とにより輸送箱１３を連動させて回転させ、気体入り管１０の中の排気ガスが輸送チャンバ１４により連結管１８の中に輸送され、
【００３１】
２：排気ガスが沈積チャンバ６０の中に入り、小部分の排気ガスが濾過綿２５によって濾過されて排気管２６により排出され、大部分の排気ガスが沈積チャンバ６０の中に留められ、排気ガスの中の埃が沈積チャンバの中に沈積し、
【００３２】
３：沈積チャンバ６０の中の埃が一定の量になった後、主モータ６４が起動して主動リードスクリュー６５を回転させ、移動板６３が密封板３１を連動させて前方へスライドさせて連結管１８を密封し、埃を連結管１８の中に推して入れることを避け、移動板６３が両面ラック３８を連動させて前方へ運動させ、
【００３３】
４：両面ラック３８と後ギヤ４４との噛み合いにより捻りばね６８が弾性エネルギーを蓄積し、両面ラック３８が継続して前方へ運動し、両面ラック３８が後ギヤ４４との噛み合いから離脱し、定位ブロック６６が回転軸７２を突き上げて後ギヤ４４を前ギヤ４５とかみ合わせ、この時に主モータ６４が停止し、ラチェットギヤ７１がラチェット歯止め６７から離脱し、捻りばね６８が復帰し、これにより後ギヤ４４が前ギヤ４５を連動させて回転させ、右推し板３９がネジ山ロッド４２の作用のもとで左方へ運動して沈積チャンバ６０の内壁にある埃を取り除き、
【００３４】
５：両面ラック３８が前方へ運動する時に伝動ギヤ４７と噛み合い、伝動軸４０がプーリ機構４１によりギヤ軸３７を連動させて回転させ、セクタギヤ３６が右ラック４８と噛み合っていることにより固定板５１が左方へ運動し、左ラック３５が回転ギヤ７３と噛み合っていることにより左側の装着軸３４を連動させて回転させ、同期ギヤ７４の作用のもとでドア板３３が回転して連通チャンバ５７を開け、
【００３５】
６：右推し板３９が上推し板３０の右端面と同じ平面になるまで運動する時に停止し、電動推しロッド２３が起動して推しロッド２１により上推し板３０を下降させて埃を収集チャンバ５６の中に推して収集を行い、
【００３６】
７：濾過綿２５がしばらく使用された後、動力モータ２７が起動して動力軸２８により回転盤２９を連動させて回転させ、濾過綿２５を取り替える。
【００３７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020204451.tif 000003
【図２】
2020204451.tif 000004
【図３】
2020204451.tif 000005
【図４】
2020204451.tif 000006